(57)【要約】【課題】ユーザが異なるコンテンツ視聴システムを使用する場合でも、記憶装置に格納された、そのユーザの嗜好情報を使用、更新する。【解決手段】他のコンテンツ視聴システムにおけるコンテンツの視聴履歴を基に作成したユーザ嗜好情報を記憶した、着脱可能な記憶装置を認証する記憶装置認証手段と、取得可能なコンテンツリストを取得するコンテンツリスト取得手段と、ユーザ嗜好情報を記憶装置から読み出し、読み出したユーザ嗜好情報を参照してコンテンツリストからコンテンツを検索するコンテンツ検索手段と、検索されたコンテンツを取得するコンテンツ取得手段と、取得したコンテンツを記憶装置に記憶するストレージ制御手段とを備えたコンテンツ視聴システムである。【選択図】図１
2010016623.tif 000002
【特許請求の範囲】
【請求項１】
他のコンテンツ視聴システムにおけるコンテンツの視聴履歴を基に作成したユーザ嗜好情報を記憶した、着脱可能な記憶装置を認証する記憶装置認証手段と、
取得可能なコンテンツリストを取得するコンテンツリスト取得手段と、
前記ユーザ嗜好情報を前記記憶装置から読み出し、前記読み出した前記ユーザ嗜好情報を参照して前記コンテンツリストからコンテンツを検索するコンテンツ検索手段と、
前記検索されたコンテンツを取得するコンテンツ取得手段と、
前記取得したコンテンツを前記ユーザ嗜好情報を記憶した前記着脱可能な記憶装置に記憶するストレージ制御手段とを備えたことを特徴とするコンテンツ視聴システム。
【請求項２】
前記コンテンツリストは、ユーザが利用可能なコンテンツのリストであり、前記ユーザによる前記コンテンツリストからのコンテンツの選択に応答して、前記コンテンツ取得手段は、前記選択されたコンテンツを、放送による受信及びコンテンツサーバからのダウンロードのいずれか一方により取得することを特徴とする請求項１記載のコンテンツ視聴システム。
【請求項３】
ネットワークを介して前記コンテンツサーバに接続し、前記コンテンツリストは、前記ネットワークを介して取得可能なコンテンツのリストであることを特徴とする請求項２記載のコンテンツ視聴システム。
【請求項４】
前記ユーザ嗜好情報は、前記取得したコンテンツの視聴履歴を基に更新されることを特徴とする請求項３記載のコンテンツ視聴システム。
【請求項５】
前記ユーザ嗜好情報は、前記取得したコンテンツの前記記憶装置への記憶履歴を基に更新されることを特徴とする請求項３記載のコンテンツ視聴システム。
【請求項６】
着脱可能な記憶装置の識別子と対応付けたユーザ嗜好情報を記憶する内蔵記憶装置を備え、前記コンテンツ検索手段が、前記ユーザ嗜好情報を前記内蔵記憶装置または前記着脱可能な記憶装置から読み出し、前記読み出した前記ユーザ嗜好情報に対応したコンテンツを検索し、前記着脱可能な記憶装置が接続されていないときに、前記コンテンツ取得手段が、前記検索されたコンテンツを取得した場合、前記ストレージ制御手段が、前記取得したコンテンツを、前記識別子と対応付けて前記内蔵記憶装置に記憶し、前記着脱可能な記憶装置が接続されたときに、前記ストレージ制御手段は、前記内蔵記憶装置に記憶したコンテンツを前記着脱可能な記憶装置へ移動させることを特徴とする請求項１記載のコンテンツ視聴システム。
【請求項７】
前記着脱可能な記憶装置が接続されていないときに、前記コンテンツ検索手段が、前記ユーザ嗜好情報を前記内蔵記憶装置から読み出し、前記読み出した前記ユーザ嗜好情報に対応したコンテンツを検索することを特徴とする請求項６記載のコンテンツ視聴システム。
【請求項８】
前記識別子の前記着脱可能な記憶装置の接続に応答して、前記コンテンツが前記記憶装置に記憶されていることを表示する手段と、前記表示内容に対応した移動の指示に応答して、前記コンテンツを前記記憶装置から前記着脱可能な記憶装置へ移動する手段を備えたことを特徴とする請求項６記載のコンテンツ視聴システム。
【請求項９】
着脱可能な記憶装置が接続される端末と、ネットワークを介して前記端末に接続されたサーバとを備えたコンテンツ記憶システムにおいて、
前記端末は、他のコンテンツ視聴システムにおけるコンテンツの視聴履歴を基に作成したユーザ嗜好情報を記憶した、前記着脱可能な記憶装置を認証する記憶装置認証手段と、前記サーバへ前記ユーザ嗜好情報を送信し、前記サーバからコンテンツを受信する第一の通信手段と、前記受信したコンテンツを前記ユーザ嗜好情報を記憶した前記着脱可能な記憶装置に記憶するストレージ制御手段とを備え、
前記サーバは、取得可能なコンテンツリストを取得するコンテンツリスト取得手段と、前記ユーザ嗜好情報を参照して前記コンテンツリストからコンテンツを検索するコンテンツ検索手段と、前記検索されたコンテンツを取得するコンテンツ取得手段と、前記端末から前記ユーザ嗜好情報を受信し、前記端末へ前記取得したコンテンツを送信する第二の通信手段とを備えたことを特徴とするコンテンツ記憶システム。
【請求項１０】
ユーザ嗜好情報を保持した、着脱可能な記憶装置を認証する記憶装置認証手段と、
前記認証された前記記憶装置に保持された前記ユーザ嗜好情報を前記記憶装置から読み出し、インターネットを介してサーバに送信する送信手段と、
前記サーバから送信されるお薦めコンテンツリストを受信する受信手段と、
前記受信したお薦めコンテンツリストを表示する表示手段と、
前記表示したお薦めコンテンツリストの中からコンテンツを選択するコンテンツ選択手段と、
前記選択したコンテンツを前記サーバから受信するコンテンツ受信手段と、
前記サーバによって前記ユーザ嗜好情報が更新された更新ユーザ嗜好情報を受信する受信手段と、
前記受信した前記コンテンツ及び前記更新ユーザ嗜好情報を前記記憶装置に記録する記録手段とを備えたことを特徴とするコンテンツ視聴システム。
【請求項１１】
記憶装置認証手段が、他のコンテンツ視聴システムにおけるコンテンツの視聴履歴を基に作成したユーザ嗜好情報を記憶した、着脱可能な記憶装置を認証するステップと、
コンテンツリスト取得手段が、取得可能なコンテンツリストを取得するステップと、
コンテンツ検索手段が、前記ユーザ嗜好情報を前記記憶装置から読み出し、前記読み出した前記ユーザ嗜好情報を参照して前記コンテンツリストからコンテンツを検索するステップと、
コンテンツ取得手段が、前記検索されたコンテンツを取得するステップと、
ストレージ制御手段が、前記取得したコンテンツを前記ユーザ嗜好情報を記憶した前記着脱可能な記憶装置に記憶するステップとを含むことを特徴とするコンテンツ記憶方法。
【発明の詳細な説明】
【技術分野】
【０００１】
本発明は、ユーザが嗜好に応じた番組を視聴するコンテンツ視聴システムに関わる。
【背景技術】
【０００２】
デジタルＴＶなど近年のＴＶには、電子番組表が用意されており、ユーザは、放送電波やインターネット経由で電子番組表を取得し、視聴したい番組を選択することができる。しかし、衛星デジタル放送や地上デジタル放送、ケーブルＴＶ等の普及によるチャンネル増加に伴い、電子番組表からユーザが視聴したい番組を探し出すのに時間がかかるようになってきた。
【０００３】
そこで、特許文献１や特許文献２では、ＴＶ番組視聴装置において、利用者の過去の視聴番組の内容や種類、予めユーザが設定したジャンルに基づいて、利用者の嗜好に沿った番組を、ＥＰＧ（Electronic Program Guide）から選択して提示することで、ユーザが視聴したい番組を容易に探し出せる方法が開示されている。
【０００４】
【特許文献１】特開2002-44542号公報
【特許文献２】特開平11-75128号公報
【発明の開示】
【発明が解決しようとする課題】
【０００５】
デジタルコンテンツの普及に伴い、ユーザがデジタルコンテンツを取得し、視聴するための端末は高機能化、多様化してきている。多くのデジタルコンテンツは、端末に依存することなく、多種多様な端末で視聴可能である。複数の端末を所有し、利用場所等に応じて使い分けるユーザも少なくない。
【０００６】
このような利用状況下では、視聴に利用した端末のみが保持するユーザの視聴履歴や録画履歴等に基づいて、お薦めコンテンツを決定する特許文献１や特許文献２では、ユーザの嗜好を的確に反映できない場合がある。
【０００７】
例えば、ＴＶ番組を、ＴＶ番組視聴装置及びパーソナルコンピュータの両方で視聴するユーザの場合、パーソナルコンピュータで長時間、複数回ドキュメンタリー番組を視聴しても、ＴＶ番組視聴装置にはパーソナルコンピュータにおけるこのユーザの視聴履歴が反映されないため、ＴＶ番組視聴装置の利用時に、お薦め番組として、ユーザに対しドキュメンタリー番組が提示されることはない。
【課題を解決するための手段】
【０００８】
本発明は、他のコンテンツ視聴システムにおけるコンテンツの視聴履歴を基に作成したユーザ嗜好情報を記憶した、着脱可能な記憶装置を認証する記憶装置認証手段と、取得可能なコンテンツリストを取得するコンテンツリスト取得手段と、ユーザ嗜好情報を記憶装置から読み出し、読み出したユーザ嗜好情報を参照してコンテンツリストからコンテンツを検索するコンテンツ検索手段と、検索されたコンテンツを取得するコンテンツ取得手段と、取得したコンテンツを記憶装置に記憶するストレージ制御手段とを備えたコンテンツ視聴システムである。
【０００９】
本発明の他の態様は、着脱可能な記憶装置の識別子と対応付けたユーザ嗜好情報を記憶する記憶装置と、着脱可能な記憶装置が接続されていないとき、ユーザ嗜好情報を記憶装置から読み出し、読み出したユーザ嗜好情報に対応したコンテンツを検索するコンテンツ検索手段と、検索されたコンテンツの放送中であり、かつ視聴中及び録画中のいずれでもないとき、検索されたコンテンツを、識別子と対応付けて記憶装置に記憶するストレージ制御手段とを備えたコンテンツ視聴システムである。
【００１０】
本発明のさらに他の態様は、ユーザ嗜好情報を保持した、着脱可能な記憶装置を認証する記憶装置認証手段と、認証された記憶装置に保持されたユーザ嗜好情報を記憶装置から読み出し、インターネットを介してサーバに送信する送信手段と、サーバから送信されるお薦めコンテンツリストを受信する受信手段と、受信したお薦めコンテンツリストを表示する表示手段と、表示したお薦めコンテンツリストの中からコンテンツを選択するコンテンツ選択手段と、選択したコンテンツをサーバから受信するコンテンツ受信手段と、サーバによってユーザ嗜好情報が更新された更新ユーザ嗜好情報を受信する受信手段と、受信したコンテンツ及び更新ユーザ嗜好情報を記憶装置に記録する記録手段とを備えたコンテンツ視聴システムである。
【発明の効果】
【００１１】
本発明により、ユーザが利用場所などに応じて異なる端末（コンテンツ視聴システム）を使用する場合でも、コンテンツ視聴または記録のために記憶装置を端末に接続すれば、記憶装置のそれぞれの接続先端末にて嗜好情報を使用することができ、また、それぞれの接続先端末でのユーザの利用履歴を嗜好情報に反映することができるため、よりユーザの嗜好に合ったコンテンツを、ユーザに推薦することが可能となる。
【発明を実施するための最良の形態】
【００１２】
本発明に係るコンテンツ視聴システムを、以下に説明する。
【実施例１】
【００１３】
図1は、本実施例のコンテンツ視聴システムの構成を示すブロック図である。可搬型記憶装置12は、その記憶部16に嗜好情報13を記憶する嗜好情報記憶部19とコンテンツ17を記憶するコンテンツ記憶部18とを有する。本実施例では可搬型記憶装置12はHDD（Hard Disk Drive）を内蔵したiVDR（Information Versatile Disk for Removable usage）(登録商標)として説明するが、記録・再生ができ、コンテンツ視聴システムに着脱できるものならば半導体メモリでも光ディスクでもよい。
【００１４】
可搬型記憶装置認証部15は、コンテンツ視聴装置14に接続した可搬型記憶装置12が規格や規定等に則って製造されている正当な記憶装置であるか、例えば電子証明書の検証等により認証を行う。コンテンツ・コンテンツリスト取得部7は、例えば、無線（地上放送、衛星放送）や有線（ケーブルＴＶ等）、その他の媒体で配信されるコンテンツおよびコンテンツリストを受信する。コンテンツリストは、コンテンツ視聴システムが取得可能であり、可搬型記憶装置12の所有者であるユーザが利用可能なコンテンツのリストである。受信したコンテンツは、コンテンツ再生部8にてデコードされ、図示していないモニターに出力される。受信したコンテンツリストは、お薦めコンテンツ検索部10に送られる。外部インタフェース4は、例えば、iVDRドライブのように、TV番組を録画することのできる可搬型記憶装置12を接続するためのシリアルATAインタフェースやそのドライバ等である。ストレージ制御部2は、可搬型記憶装置12および内蔵記憶装置1を制御する。嗜好情報取得部6は、外部インタフェース4に接続された可搬型記憶装置12に記録してある嗜好情報13をストレージ制御部2により取得し、取得した嗜好情報13をお薦めコンテンツ検索部10へ送る。
【００１５】
お薦めコンテンツ検索部10は、送られた嗜好情報13を基に、先に取得しているコンテンツリストから、ユーザの嗜好に合うコンテンツを検索し、お薦めコンテンツ表示部11に送る。お薦めコンテンツ表示部11は、お薦めコンテンツを図示していないモニターに出力する。制御部3は、ユーザによる、お薦めコンテンツの中からのコンテンツの選択を受け付けたり、電子番組表の中からコンテンツの選択を受け付けたり、選択されたコンテンツをモニタに出力してユーザに視聴させたり、コンテンツを内蔵記憶装置1や可搬型記憶装置12に録画したりする。嗜好情報生成・更新部9では、可搬型記憶装置12接続時に嗜好情報13を取得できなかった場合、ユーザの視聴履歴を基に嗜好情報13を生成し、嗜好情報13がある場合は、ユーザの視聴履歴を反映するよう、嗜好情報13を更新する。嗜好情報記録部５は、生成または更新された嗜好情報13を、ストレージ制御部2により、可搬型記憶装置12の嗜好情報記憶部19へ記録する。
【００１６】
図２は、本実施例に係るコンテンツ視聴装置14の一例であるコンテンツ記録機能付のデジタルＴＶ装置に、コンテンツ保護規格（著作権保護規格）であるSAFIA技術を搭載したiVDRドライブを、可搬型記憶装置12として接続した場合の、お薦めコンテンツがモニターに表示されるまでのフロー図である。iVDRドライブをデジタルＴＶ装置に接続すると、デジタルＴＶ装置は、IDENTIFY DEVICEというATAコマンドをiVDRドライブに対し発行する（ステップ20）。デジタルＴＶ装置は、IDENTIFY DEVICEコマンドの戻り値を基に、接続中の可搬型記憶装置12がコンテンツ保護技術であるSAFIA技術を搭載しているiVDRドライブか否かを確認する（ステップ21）。
【００１７】
SAFIA搭載iVDRドライブであることを確認すると、デジタルＴＶ装置は、SAFIA搭載iVDRドライブ内の嗜好情報記憶部19に嗜好情報13が記憶されているか調査し（ステップ22）、記憶されている場合には嗜好情報記憶部19から、嗜好情報13を読み出す（ステップ23）。そして、別途コンテンツ・コンテンツリスト取得部7が取得した（ステップ24）、電子番組表の中から嗜好情報13に適ったＴＶ番組を検索し（ステップ25）、検索したＴＶ番組を（ステップ26）、図3のようにモニターに表示する（ステップ27）。
【００１８】
図3は、電子番組表である。チャネルごとに、現在放送している番組、および今後数時間に放送される予定の番組を表示している。嗜好情報に適った番組には、番組名の前に、お薦め番組であることを示すマークがついており、ユーザは一目でお薦め番組を知ることができ、この画面を見ながらユーザは、番組の選択を行うことができる。コンテンツ視聴システムは、選択された番組（コンテンツ）の放送を受信する。コンテンツ視聴システムは、ユーザから表示したお薦め番組を録画する録画予約指示があった場合に、またはお薦め番組を録画するように設定し、ユーザから表示したお薦め番組の録画を取りやめる録画キャンセル指示が無かった場合に、表示したお薦め番組の放送時間にコンテンツ・コンテンツ取得部7により表示したお薦め番組のデジタルデータを取得し、取得したデジタルデータを可搬型記憶装置12のコンテンツ記憶部18に記憶する。また、この録画を反映して嗜好情報13を更新し、可搬型記憶装置12内の嗜好情報記憶部19に記憶する。
【００１９】
図4は、ユーザの視聴履歴に応じて、嗜好情報13が更新される手順のフロー図である。ユーザは好きなＴＶ番組を選択し、ＴＶ番組の視聴や、録画を行う（ステップ50）。デジタルTV装置は、可搬型記憶装置12から嗜好情報13を取得していた場合は、ユーザがデジタルＴＶ装置に対して行った、ＴＶ番組の視聴・録画（記録）などの動作履歴を基に、嗜好情報13を更新した上で（ステップ52）、嗜好情報13を可搬型記憶装置12へ記録する（ステップ54）。一方、接続時に可搬型記憶装置12が嗜好情報13を保持しておらず、デジタルＴＶ装置が可搬型記憶装置12の嗜好情報13を取得していない場合は、ユーザがデジタルＴＶ装置に対して行った、ＴＶ番組の視聴・録画などの動作履歴を基にユーザの嗜好情報13を生成し（ステップ53）、可搬型記憶装置12へ記録する（ステップ54）。
【００２０】
図5は、ユーザが、本実施例に係る２台のデジタルＴＶ装置を所有していた場合の、本システムの利用例である。
【００２１】
ユーザは、リビングにあるＴＶ（１）60の他に、新たに寝室用にＴＶ（２）62を購入したとする。ユーザは、リビングにあるＴＶ（１）60でＴＶ番組を視聴する際、お気に入りの番組があればすぐに録画できるよう自分のiVDRドライブ61をＴＶ（１）60に接続する。ＴＶ（１）60は、iVDRドライブ61の接続を確認すると、iVDRドライブ61に記録されている嗜好情報を読み出す（63）とともに、嗜好情報を基にコンテンツリストからユーザの嗜好に合うお薦め番組を選択し、iVDRドライブ61に記録する。そして、iVDRドライブ接続後のユーザのＴＶ（１）60におけるＴＶ番組の視聴・録画などの動作履歴を基に、先に受信した嗜好情報を更新し（64）、更新した嗜好情報を定期的にiVDRドライブへ書き込む（65）。
【００２２】
次に、ユーザが寝室に新たに設置したＴＶ（２）62を利用する際には、ユーザは、ＴＶ（１）60に接続していたiVDR61を外し、ＴＶ（１）60の時と同様に、iVDR61に記憶してあるコンテンツを視聴するために、また、お気に入りの番組があればすぐに録画できるよう、iVDRドライブ61をＴＶ（２）62に接続する。ＴＶ（２）62は、iVDRドライブ61に記録されている嗜好情報13を読み出し（66）、この嗜好情報13を基に、ユーザに対してお薦め番組を提示する（67）。
【００２３】
本実施例を適用し、可搬型記憶装置12に嗜好情報13を記録することで、ユーザは嗜好情報13をコンテンツ17と共に携帯することができる。今まで一度も利用したことのない端末、例えば友人が所有する端末や宿泊先に設置してある端末でも、可搬型記憶装置12を接続するだけで、ユーザの嗜好に応じたお薦め番組をユーザに対して提示し、その端末を通してコンテンツ17を可搬型記憶装置12へ記憶したり、視聴することができる。ここで、ユーザは可搬型記憶装置12を携帯しコンテンツ視聴装置に接続する手間をわずらうことが考えられるが、本実施例では、嗜好情報13とコンテンツ17を同じ記憶媒体16に記憶することで、ユーザは可搬型記憶装置12に記憶したコンテンツ17を視聴するためまたはコンテンツを記録するために可搬型記憶装置12をコンテンツ視聴装置にセットするという従来行っていた動作を行えばコンテンツ視聴装置は嗜好情報13を取得可能になり、嗜好情報13を反映したコンテンツ取得を容易に開始することができるので、ユーザの手をわずらわせない。また、初めて利用する端末によってコンテンツ視聴、記憶などをした履歴も、嗜好情報13に反映することができる。
【００２４】
本実施例に係る嗜好情報13は、特定のコンテンツやこのコンテンツが属するジャンルの視聴時間や再生回数および録画回数、または、可搬型記憶装置12に録画されているコンテンツ17やこのコンテンツが属するジャンル等を基に、予め決められたアルゴリズムに則って作成される。嗜好情報13を作成するにあたり、前記全ての情報を利用しても良いし、その一部を利用しても良い。また、ユーザの嗜好が判別できる情報であれば、前記以外の情報を利用しても良い。
【００２５】
本実施例によれば、ユーザが異なるコンテンツ視聴システムを使用する場合でも、記憶装置に格納された、そのユーザの嗜好情報を使用、更新することができる。
【実施例２】
【００２６】
本実施例に係るコンテンツ視聴装置14においては、実施例１に記載のコンテンツ視聴装置が有する構成に加えて内蔵記憶装置1を有し、嗜好情報13を可搬型記憶装置12だけでなく、コンテンツ視聴装置14に内蔵している内蔵記憶装置1にも記録する。その際、嗜好情報13は、この嗜好情報13が記録されている可搬型記憶装置12に付随するシリアルナンバー（識別子）と対応付けて、内蔵記憶装置1に記録される。
【００２７】
図6は、嗜好情報を可搬型記憶装置だけでなく、コンテンツ視聴装置の内蔵記憶装置にも記録した場合のフロー図である。図6において、コンテンツ視聴装置14は、可搬型記憶装置12が接続されているか確認し（ステップ70）、接続されている場合には実施例１と同じ操作を行う。可搬型記憶装置12が接続されていない場合、内蔵記憶装置1に、可搬型記憶装置12のシリアルナンバーに対応付けられた嗜好情報が記録されているか確認する（ステップ71）。嗜好情報が記録されていた場合、嗜好情報を基に電子番組表からお薦めコンテンツを決定する（ステップ72）。
【００２８】
決定したお薦めコンテンツの放送時刻になると（ステップ73）、コンテンツ視聴装置14は、お薦めコンテンツの視聴開始時刻をモニターに表示してユーザに知らせる（ステップ74）。このお薦めコンテンツが視聴、または録画されていない場合（ステップ75）、このお薦めコンテンツを、嗜好情報に対応付けされて記録されていた可搬型記憶装置12のシリアルナンバーと対応付けて内蔵記憶装置1に録画する（ステップ76）。
【００２９】
図7は、コンテンツ視聴装置14に、次の機会に、可搬型記憶装置12が接続された際の処理フローである。コンテンツ視聴装置14は、接続した可搬型記憶装置12に対し、IDENTIFY DEVICEを発行し、可搬型記憶装置12のシリアルナンバーを取得する（ステップ80）。そして、取得したシリアルナンバーと対応付けられた録画コンテンツが、内蔵記憶装置1に記録されていないか確認する（ステップ81）。該当する録画コンテンツが存在した場合、お薦めコンテンツが内蔵記憶装置1に録画されていることを、モニターを通してユーザに提示し（ステップ82）、ユーザからの移動指示に基づき（ステップ83）、当該コンテンツを可搬型記憶装置12に移動させる（ステップ84）。このときユーザに、内蔵記憶装置1に録画されているコンテンツを、可搬型記憶装置12にムーブするか、削除するか、そのまま内蔵記憶装置1に残すか等、動作を選択するようにしてもよい。
【００３０】
また、このとき、内蔵記憶装置1に記憶された嗜好情報と、可搬型記憶装置12に記憶された嗜好情報13とを整合させ、嗜好情報13を更新し、同一の嗜好情報13を内蔵記憶媒体1及び可搬型記憶装置12に記憶する。これによって、可搬型記憶装置12がコンテンツ取得装置14に接続されておらず離れていたときに、ユーザがコンテンツ視聴装置14によって視聴、記憶などをした履歴（内蔵記憶装置1中の嗜好情報に反映されている）と、ユーザが可搬型記憶装置12を他のコンテンツ視聴装置などに接続して視聴、記憶などをした履歴（可搬型記憶装置12中の嗜好情報13に反映されている）の両方の履歴を反映させ、適切な嗜好情報13として更新することができる。
【００３１】
その後の可搬型記憶装置12がコンテンツ視聴装置14に接続されているときの動作は、実施例１と同じである。また、再度可搬型記憶装置12をコンテンツ視聴装置14から接続を外した場合には、両方の記憶装置に嗜好情報13が記憶されているので、問題なくそれぞれの記憶装置中の嗜好情報13を使用してお薦め番組検索、コンテンツ記憶、嗜好情報更新を行う。
【００３２】
本実施例に係るコンテンツ視聴装置14において、嗜好情報13を可搬型記憶装置12だけでなく、コンテンツ視聴装置14に内蔵している内蔵記憶装置1にも記録する。その際、嗜好情報は、該嗜好情報が記録されている可搬型記憶装置に付随するシリアルナンバーと対応付けて、内蔵記憶装置1に記録される。
【００３３】
コンテンツ視聴装置14は、可搬型記憶装置12が接続されていない場合、自身の内蔵記憶装置1に嗜好情報が記録されているか確認し、嗜好情報が記録されていた場合、嗜好情報を基に電子番組表からお薦めコンテンツを決定する。そして、図8のようにシリアルナンバーごとに分けてお薦めコンテンツのリストを表示する。図8において、iVDR1のシリアルナンバーに対応する嗜好情報１を基に生成したお薦めコンテンツのリストはリスト１であり、iVDR2のシリアルナンバーに対応する嗜好情報2を基に生成したお薦めコンテンツのリストはリスト2である。ユーザは、モニターに表示された複数のお薦めコンテンツリストのうち、自分の嗜好が反映されたコンテンツリストを選択する。コンテンツ視聴装置14は、コンテンツリストを生成するのに利用した嗜好情報を基に、お薦めコンテンツを検索し、ユーザに提示する。
【００３４】
なお、コンテンツ検索時には可搬型記憶装置12が接続されていても、実際にコンテンツを取得した時には、可搬型記憶装置12が接続されていない場合も考えられる。その場合には、お薦めコンテンツの検索に可搬型記憶装置12の嗜好情報13を用いて検索した後に、お薦めコンテンツを嗜好情報に対応付けされて記録されていた可搬型記憶装置12のシリアルナンバーと対応付けて内蔵記憶装置1に録画し（ステップ76）、その後の動作（ステップ81〜84）を本実施例と同様に行うようにしてもよい。
【実施例３】
【００３５】
本実施例に係るコンテンツ視聴システムを以下に説明する。図9は、本実施例のコンテンツ視聴システムの構成を示すブロック図である。コンテンツ視聴装置116は、取り外しの可能な可搬型記憶装置105と、コンテンツサーバ110へ取得したいコンテンツの情報を送信するコンテンツ選択部112、コンテンツサーバ110から送信されるコンテンツを受信するコンテンツ受信部113、コンテンツサーバ110へ嗜好情報を送信したり、コンテンツサーバ110から送信される嗜好情報を受信したりする嗜好情報送受信部114、等から成る。
【００３６】
コンテンツサーバ110は、コンテンツサーバ110が配信可能なコンテンツ及びそのリストを記録したコンテンツデータベース106、コンテンツ送信部107、嗜好情報の新規作成やコンテンツ視聴装置116から送られてくる嗜好情報を更新する嗜好情報生成・更新部108、コンテンツ視聴装置116との間で嗜好情報の送受信を行う嗜好情報送受信部100、コンテンツデータベース106から嗜好情報に適うコンテンツを検索するお薦めコンテンツ検索部101、お薦めコンテンツ検索部101により検索されたお薦めコンテンツをコンテンツ視聴装置116へ送信するお薦めコンテンツ情報送信部102等から成る。
【００３７】
ユーザが可搬型記憶装置105をコンテンツ視聴装置116に接続すると、可搬型記憶装置105が保持している嗜好情報104は、ストレージ制御部115によってコンテンツ視聴装置116に読み出され、嗜好情報送受信部114によって、インターネット上のコンテンツサーバ110へ送信される。コンテンツサーバ110は、コンテンツ視聴装置116から送信された嗜好情報104を嗜好情報送受信部100により受信し、受信した嗜好情報を基に、お薦めコンテンツ検索部101において、コンテンツデータベース106からユーザの嗜好にあったお薦めコンテンツを検索する。お薦めコンテンツは、お薦めコンテンツ情報送信部102により、コンテンツ視聴装置116へ送信され、図示していないコンテンツ視聴装置116のモニターを通じてユーザに提示される。ユーザは、提示されたお薦めコンテンツの中から、希望のコンテンツを選択し、コンテンツ視聴装置116は、入力されたコンテンツの選択情報をコンテンツ選択部112によりコンテンツサーバへ送信110する。
【００３８】
コンテンツサーバ110は、ユーザが選択したコンテンツをコンテンツデータベース106より取り出し、コンテンツ送信部107でコンテンツ視聴装置116へ送信すると同時に、嗜好情報生成・更新部108において、先にコンテンツ視聴装置116より取得した嗜好情報104に、ユーザが選択したコンテンツ情報を反映する。コンテンツサーバ110が送信したコンテンツは、コンテンツ受信部113により、コンテンツ視聴装置116が受信（ダウンロード）し、可搬型記憶装置105にコンテンツ117として記録されたり、図示していない再生部を用いてストリーミング再生される等する。一方、更新後の嗜好情報は、嗜好情報送受信部100により、コンテンツ視聴装置116へ送信される。コンテンツ視聴装置116は、嗜好情報送受信部114により受信した更新後の嗜好情報を、ストレージ制御部115に送る。ストレージ制御部115は、この嗜好情報を可搬型記憶装置105に嗜好情報104として記録する。
【産業上の利用可能性】
【００３９】
以上、本実施形態に係るコンテンツ視聴装置としてデジタルＴＶ装置を用いて説明したがこれに限らず、パーソナルコンピュータ、ＤＶＤレコーダー、セットトップボックス、カーナビゲーションシステム、据置型及び携帯型オーディオシステム、携帯電話端末、コンテンツ配信端末等、可搬型記憶装置が接続できる端末なら適用可能である。
【００４０】
また、本実施形態におけるコンテンツとしてＴＶ番組を用いて説明したが、インターネットを通じて取得する音声や動画のダウンロードコンテンツ、ストリーミングコンテンツ等、デジタルコンテンツ全般を含む。
【図面の簡単な説明】
【００４１】
【図１】コンテンツ視聴システムの構成を示すブロック図である。
【図２】お薦めコンテンツがモニターに表示されるまでのフロー図である。
【図３】電子番組表である。
【図４】ユーザの視聴履歴に応じて、嗜好情報が更新される手順のフロー図である。
【図５】ユーザが、２台のデジタルＴＶ装置を所有していた場合の、本システムの利用例である。
【図６】嗜好情報を可搬型記憶装置だけでなく、コンテンツ視聴装置の内蔵記憶装置にも記録した場合のフロー図である。
【図７】コンテンツ視聴装置の可搬型記憶装置を接続した場合のフロー図である。
【図８】シリアルナンバーごとに分けてお薦めコンテンツのリストを表示する例である。
【図９】他のコンテンツ視聴システムの構成を示すブロック図である。
【符号の説明】
【００４２】
1：内蔵記憶装置、2：ストレージ制御部、4：外部インタフェース、5：嗜好情報記録部、6：嗜好情報取得部、7：コンテンツ・コンテンツリスト取得部、8：コンテンツ再生部、9：嗜好情報生成・更新部、10：お薦めコンテンツ検索部、11：お薦めコンテンツ表示部、12：可搬型記憶装置、13：嗜好情報、14：コンテンツ視聴装置、15：可搬型記憶装置認証部、16：記憶部、17：コンテンツ、18：コンテンツ記憶部、19：嗜好情報記憶部、100：嗜好情報送受信部、101：お薦めコンテンツ検索部、102：お薦めコンテンツ情報送信部、104：嗜好情報、105：可搬型記憶装置、106：コンテンツデータベース、107：コンテンツ送信部、108：嗜好情報生成・更新部、110：コンテンツサーバ、112：コンテンツ選択部、113：コンテンツ受信部、114：嗜好情報送受信部、115：ストレージ制御部、116：コンテンツ視聴装置、117：コンテンツ。
【図１】
2010016623.tif 000003
【図２】
2010016623.tif 000004
【図３】
2010016623.tif 000005
【図４】
2010016623.tif 000006
【図５】
2010016623.tif 000007
【図６】
2010016623.tif 000008
【図７】
2010016623.tif 000009
【図８】
2010016623.tif 000010
【図９】
2010016623.tif 000011